(57)【要約】【課題】外枠の外部から内部へゴミ等が入りにくい、液晶シャッタによる透過度が十分な、液晶表示装置を提供する。【解決手段】導光板４の端面に対向するランプセット６ａ，６ｂと、液晶パネル２及び液晶シャッタ３及び導光板４及び反射シート５の各縁部を支持する枠体８と、上面が反射シート５上に配置され、側面がランプセット６ａ，６ｂを支持する固定板７と、各部品の上方及び側方を覆い額縁状の外枠９とを設け、導光板４と反射シート５と固定板７と外枠９には各々、略中央に開口部が形成され、外枠９は、上部１７ａと、下部１６ｂと、載置部１６ａが形成され、シール材２５ａ上に配置され外枠９の開口部を覆う透明パネル２５とを設け、固定板７の開口部の周辺に、上方に延びる垂直部７ａが形成され、垂直部７ａの上面と、載置部１６ａの底面との間に、パッキン３４が配置された。【選択図】図５
2007003853.tif 000002
【特許請求の範囲】
【請求項１】
上方に向けて順に位置する液晶パネル及び液晶シャッタ及び導光板及び反射シートと、前記導光板の端面に対向するランプセットと、前記液晶パネル及び前記液晶シャッタ及び前記導光板及び前記反射シートの各縁部を支持する枠体と、上面が前記反射シート上に配置され、側面が前記ランプセットを支持する固定板と、前記各部品の上方及び側方を覆い額縁状の外枠とを設け、前記導光板と前記反射シートと前記固定板と前記外枠には各々、略中央に開口部が形成され、前記外枠は、上部と、それにつながり下方に延びる下部と、前記下部につながり水平に延び、前記開口部につながる載置部が形成され、前記上部に配置されたシール材と、前記シール材上に配置され前記外枠の開口部を覆う透明パネルとを設け、前記固定板の開口部の周辺に、上方に延びる垂直部が形成され、前記垂直部の上面と、前記載置部の底面との間に、パッキンが配置された事を特徴とする液晶表示装置。
【請求項２】
上方が開放され、略中央に開口部が形成され、箱状に形成された前面枠を設け、前記液晶パネルの縁部および前記枠体の底面は前記前面枠の底部上に配置され、前記枠体の側面にて外側に向かって形成された突出部と、前記前面枠の側面に形成された孔が係合している事を特徴とする請求項１の液晶表示装置。
【請求項３】
前記垂直部は全周にわたって、一定の高さにて形成され、前記載置部の底面は全周にわたって、前記外枠の上部より一定の深さにて形成され、前記パッキンは断面形状が下方に向かって凹部状に形成され、前記垂直部の上面が前記凹部の内面に当接し、または所定の深さだけ沈み込む様に構成された事を特徴とする請求項１の液晶表示装置。
【請求項４】
前記垂直部は全周にわたって、一定の高さにて形成され、前記載置部は断面形状が下方に向かって凹部状に形成され、前記凹部の内面は全周にわたって、前記外枠の上部より一定の深さにて形成され、前記パッキンは断面形状が長方形であり、前記凹部の内面に配置され、前記垂直部の上面が前記パッキンの底面に当接し、または所定の深さだけ沈み込む様に構成された事を特徴とする請求項１の液晶表示装置。
【発明の詳細な説明】
【技術分野】
【０００１】
本発明は、液晶表示装置に関し、特にアミューズメント用の液晶表示装置に関する。
【背景技術】
【０００２】
従来、液晶表示装置を用いた回動式遊技機の一例を図１２及び図１３を用いて説明する（下記特許文献１参照）。なお、図１２は従来の回動式遊技機１００の外観斜視図であり、図１３は回転表示体１０２、液晶パネル１１６及び液晶シャッタ１１２の配置関係を示す縦断面図である。この回動式遊技機１００は、その筐体１０１の前面のほぼ中央上部に、筐体１０１内に配設した３個の回転表示体１０２ａ〜１０２ｃの表面が臨む３個の表示窓１０３ａ〜１０３ｃが横並びに設けられている。
【０００３】
この回動式遊技機１００の遊技結果表示部は、３個の回転表示体１０２ａ〜１０２ｃからなる第１表示手段と、第１表示手段の手前に配置された液晶パネル１１６からなる第２表示手段と、前記第１表示手段と第２表示手段との間に配置された液晶シャッタ１１２からなる第３表示手段とを有する。第２表示手段は透過表示部（図示しない）を有し第１表示手段の表示を透過させて表示可能にし、第３表示手段は第１表示手段の表示を遮蔽するか又は透過させる３個の表示遮蔽部１１３ａ〜１１３ｃを有する。
【０００４】
また遊技機１００は、表示遮蔽部１１３ａ〜１１３ｃを第１表示手段の表示を遮蔽する状態と第１表示手段の表示を透過する状態とのいずれかに変換制御する変換制御手段を有している。
【０００５】
このうち、回転表示体１０２ａ〜１０２ｃの内部には回転表示体を照明するための３個のバックライト１１７ａ〜１１７ｃが配設されており、回転表示体１０２ａ〜１０２ｃの前方側には、液晶パネル１１６及び液晶シャッタ１１２を背面側から照明するとともに、回転表示体を表面側から照明するための前方照明装置１１８ａ、１１８ｂが配置されている。
【特許文献１】特開２００４−２８３５４８号公報
【発明の開示】
【発明が解決しようとする課題】
【０００６】
本発明者は、図１３を参照して、遊戯機１００用の液晶表示装置を製造した。即ち、液晶パネル１１６および液晶シャッタ１１２を覆う外枠を設けた。外枠は、右側に開口部を有し、額縁状に形成されている。額縁の平坦部（即ち、開口部の根元）が液晶シャッタ１１２の表面に当接する様に構成した。そして、外枠の開口部に臨む上部にシール材を配置し、開口部を覆う様に、シール材上に透明パネルを配置した。
【０００７】
しかし、平坦部と液晶シャッタ１１２との隙間から開口部へ、ゴミや水分が侵入する第１の欠点がある。この欠点を解消するために、本発明者は、上記平坦部と液晶シャッタ１１２の表面との間に、平面形状が四角の枠で、断面形状が長方形のパッキンを取り付けた。
【０００８】
そして、液晶シャッタ１１２を支持する部材と、平坦部とをネジ止めした。しかし、液晶シャッタ１１２は、ネジ止めによる応力に従い、歪む。そのため、液晶シャッタ１１２をオン状態にした時、透過度が不十分になったり、透過する部分がばらつく、第２の欠点がある。
【０００９】
そこで、本発明は、この様な従来の欠点を考慮して、外枠の外部から内部へゴミ等が入りにくい、液晶シャッタによる透過度が十分な、液晶表示装置を提供する。
【課題を解決するための手段】
【００１０】
上記課題を解決するために、請求項１の本発明では、上方に向けて順に位置する液晶パネル及び液晶シャッタ及び導光板及び反射シートと、前記導光板の端面に対向するランプセットと、前記液晶パネル及び前記液晶シャッタ及び前記導光板及び前記反射シートの各縁部を支持する枠体と、上面が前記反射シート上に配置され、側面が前記ランプセットを支持する固定板と、前記各部品の上方及び側方を覆い額縁状の外枠とを設け、前記導光板と前記反射シートと前記固定板と前記外枠には各々、略中央に開口部が形成され、前記外枠は、上部と、それにつながり下方に延びる下部と、前記下部につながり水平に延び、前記開口部につながる載置部が形成され、前記上部に配置されたシール材と、前記シール材上に配置され前記外枠の開口部を覆う透明パネルとを設け、前記固定板の開口部の周辺に、上方に延びる垂直部が形成され、前記垂直部の上面と、前記載置部の底面との間に、パッキンが配置された。
【００１１】
請求項２の本発明では、上方が開放され、略中央に開口部が形成され、箱状に形成された前面枠を設け、前記液晶パネルの縁部および前記枠体の底面は前記前面枠の底部上に配置され、前記枠体の側面にて外側に向かって形成された突出部と、前記前面枠の側面に形成された孔が係合している。
【００１２】
請求項３の本発明では、前記垂直部は全周にわたって、一定の高さにて形成され、前記載置部の底面は全周にわたって、前記外枠の上部より一定の深さにて形成され、前記パッキンは断面形状が下方に向かって凹部状に形成され、前記垂直部の上面が前記凹部の内面に当接し、または所定の深さだけ沈み込む様に構成された。
【００１３】
請求項４の本発明では、前記垂直部は全周にわたって、一定の高さにて形成され、前記載置部は断面形状が下方に向かって凹部状に形成され、前記凹部の内面は全周にわたって、前記外枠の上部より一定の深さにて形成され、前記パッキンは断面形状が長方形であり、前記凹部の内面に配置され前記垂直部の上面が前記パッキンの底面に当接し、または所定の深さだけ沈み込む様に構成された。
【発明の効果】
【００１４】
請求項１の本発明では、外枠の上方から進行するゴミは、シール材および透明パネルにより、侵入を防止される。外枠の側方および下方から進行するゴミは、載置部および垂直部に挟まれたパッキンにより、侵入を防止される。その結果、外枠に設けられた開口部内にゴミ等が侵入する事を防止できる。更に、液晶シャッタは縁部が枠体に支持され、即ち、縁部が枠体の段部に載置されているので、液晶シャッタは、ネジ止めによる応力を受けない。その結果、液晶シャッタをオン状態にした時、透過度は十分であり、透過部分がばらつく事が解消される。
【００１５】
請求項２の本発明では、前面枠の底部上に、枠体の底部および液晶パネルの縁部が配置されるので、液晶パネルに対して不所望の応力が加わる事を防止できる。また、枠体の突出部は前面枠の孔に係合しているので、前面枠は枠体に対し、所定の関係位置にて配置され、維持される。
【００１６】
請求項３の本発明では、垂直部の上面は、パッキンに形成された凹部の内面に当接し、または所定の深さだけ沈み込むので、パッキンの位置が左右に多少ずれても、垂直部の上面とパッキンの内面との間で、隙間は生じない。その結果、両者間でのシール性は確実となり、ゴミ等が開口部内に侵入する事を確実に防止できる。
【００１７】
請求項４の本発明では、垂直部の上面は、外枠に形成された凹部の内面に配置されたパッキンの底面に当接し、または所定の深さだけ沈み込む。その結果、垂直部の位置が左右に多少ずれても、垂直部の上面と、パッキンの底面との間で隙間は生じない。その結果、両者間でのシール性は確実となり、ゴミ等が開口部内に侵入する事を確実に防止できる。
【発明を実施するための最良の形態】
【００１８】
以下、本発明の具体例を実施例１，２及び図面を用いて詳細に説明する。
【実施例１】
【００１９】
本発明の実施例１に係る液晶表示装置を図１〜図１０に示す。図１は本発明の実施例における液晶表示部と回路基板支持部の構成を示す背面斜視図、図２は図１の液晶表示部の主要構成部品を示す分解斜視図、図３は図１におけるＡ１−Ａ２断面図、図４は図１におけるＢ１−Ｂ２断面図、図５は上記液晶表示装置における要部の模式図、図６は図１におけるＣ１−Ｃ２断面図、図７は図１におけるＤ１−Ｄ２断面図、図８は図１におけるＥ１−Ｅ２断面図、図９は図１におけるＦ１−Ｆ２断面図、図１０は図１における回路基板支持部のカバーを取り外した状態を示す液晶表示部の背面側から見た背面斜視図である。
【００２０】
本発明に係る液晶表示装置Ｉは、図１の背面斜視図に示すように、液晶表示部IIと回路基板支持部IIIとからなる。液晶表示部IIの外枠９の上部１７と側部１８の内部には液晶パネル２に接続された第２及び第３の回路基板２０，２１が設けられている。回路基板支持部IIIには、外枠９の背面に垂直に配置された回路基板支持部IIIに前記第２及び第３の回路基板２０，２１と電気的に接続された第１の回路基板２２が設けられている。
【００２１】
まず、図１の液晶表示部IIの分解斜視図である図２を用いて、液晶表示部IIの主要構成部品について説明する。液晶表示部IIは、開口部１ａを有する前面枠１の上方に向けて順に位置する液晶パネル２と、液晶シャッタ３と、導光板４と、反射シート５とを備えている。導光板４の対向する端面４ａに対向して、光源であるランプセット６ａが配置されている。導光板４の対向する端面４ｂに対向して、光源であるランプセット６ｂが配置されている。
【００２２】
導光板４及び反射シート５には、この反射シート５の上方に配置された回転表示体等による表示物（例えば絵柄など）（図示せず）が、液晶パネル２の下方から見えるようにするために、中央部に、各々、開口部１３が設けられている。導光板４は、ランプセット６ａとランプセット６ｂとを導光板４の端面４ａ、４ｂに密接に対向させて、額縁状の枠体８内に載置されている。枠体８は、液晶パネル２と、液晶シャッタ３と、導光板４と、反射シート５の各縁部を支持している（図５参照）。
【００２３】
固定板７は、その中央部には導光板４及び反射シート５と同様の開口部１４が形成されている。固定板７の上面１１ｆは反射シート５上に配置され、側面１１ａ，１１ｂは各々ランプセット６ａ，６ｂを支持している。
【００２４】
これらを液晶パネル２にＴＡＢ（Tape Automated Bonding）を介して取り付けたドライバーＩＣ駆動用の第２の回路基板２０と第３の回路基板２１ともに、前面枠１と外枠９との間に収納される。
【００２５】
前面枠１は、上方が開放され、略中央部に開口部１ａが形成され、箱状に形成されている。液晶パネル２の縁部および枠体８の底面は前面枠１の底部上に配置されている（図５参照）。図９に示す様に、枠体８の側面１２ａにおいて、外側に向かって突出する突出部３５が形成されている。
【００２６】
前面枠１の側面において、孔３６が形成されている。この突出部３５が孔３６に係合される事により、前面枠１は枠体８に固定されている（図２と図９を参照）。
【００２７】
図５に示す様に、外枠９は、上記各部品２，３，４，５，６ａ，６ｂ，７を覆い、固定板７の上方に配置されている。外枠９の具体的な固定方法は、後述する。
【００２８】
外枠９は、中央に開口部１６を備え、その上部１７ａ〜１７ｄから延びた側部１８ａ〜１８ｄが垂直の壁面として形成されている。上記上部１７ａから、外枠９の背面に垂直に配置固定された回路基板支持部IIIが設けられている。
【００２９】
前面枠１と、導光板４と、反射シート５と、固定板７と、外枠９には、略中央部に各々、開口部１ａ，１３，５ａ，１４，１６が形成されている。外枠９の開口部１６の周辺に水平に延びる載置部１６ａが形成されている。すなわち、外枠９の載置部１６ａは、下部１６ｂを介して、上部１７ａにつながって、形成されている（図５参照）。
【００３０】
また、外枠９の載置部１６ａの底面は、開口部１６の全周にわたって、外枠９の上部１７ａ，１７ｂ，１７ｃ，１７ｄより、一定の深さになる様に、形成されている（図２と図５を参照）。
【００３１】
固定板７の開口部１４の周辺には、上方に延びる垂直部７ａが形成されている（図５参照）。すなわち、垂直部７ａは、開口部１４の全周にわたって、一定の高さにて形成されている（図５参照）。
【００３２】
垂直部７ａの上面と、載置部１６ａとの間には、パッキン３４が配置されている。パッキン３４は例えば、天然ゴムや、シリコンゴムからなり、弾性力を有するものである。パッキン３４は例えば、断面形状が下方に向かって、凹部状に形成されている。垂直部７ａの上面が上記凹部の内面に当接し、または所定の深さだけ沈み込む様に、構成されている（図５参照）。
【００３３】
図５に示した様に、外枠９に形成された開口部１６に臨む上部１７ａに、シール材２５ａが配置されている。開口部１６を覆う様に、シール材２５ａ上に、透明パネル２５が配置されている。
【００３４】
図５に従い、この液晶表示装置１の構成の特徴を、以下にまとめる。上方に向けて順に位置する液晶パネル２及び液晶シャッタ３及び導光板４及び反射シート５と、導光板４の端面に対向するランプセット６ｂとが設けられている。
【００３５】
液晶パネル２及び液晶シャッタ３及び導光板４及び反射シート５の各縁部を支持する枠体８が設けられている。上面が反射シート５上に配置され、側面がランプセット６ｂを支持する固定板７が設けられている。
【００３６】
前記各部品の上方及び側方を覆い額縁状の外枠９が設けられている。導光板４と反射シート５と固定板７と外枠９には各々、略中央に開口部１３，５ａ，１４，１６が形成されている。
【００３７】
外枠９は、上部１７ａと、それにつながり下方に延びる下部１６ｂと、下部１６ｂにつながり水平に延び、開口部１６につながる載置部１６ａが形成されている。上部１７ａに配置されたシール材２５ａと、シール材２５ａ上に配置され、外枠９の開口部１６を覆う透明パネル２５が設けられている。
【００３８】
固定板７の開口部１４の周辺に、上方に延びる垂直部７ａが形成され、垂直部７ａの上面と、載置部１６ａの底面との間に、パッキン３４が配置されている。
【００３９】
図１の実施例におけるＡ１−Ａ２の側断面図である図３において、液晶表示装置の液晶表示部IIは、液晶パネル２と液晶表示部IIの上方に置かれた、図示しない回転表示体等による表示物（例えば絵柄など）との間に液晶シャッタ３を有する。この液晶シャッタ３は高速スイッチングが可能であり、開いた時（印加電圧がオン状態の時）には透明になる。
【００４０】
液晶シャッタ３が透明になると、液晶表示部IIの上方にはリフレクタ２３に取り付けた表示物（例えば絵柄など）投影光源２４が点灯しているので、液晶表示部IIの背面に配置した回転表示体等による表示物（例えば絵柄など）が外枠９の開口部１６を介して見えるようになる。この時、開口部１６部分を除く液晶パネル２の縁部の液晶表示は、液晶表示部IIの前部から遊技者に見えるようになる。
【００４１】
また、液晶シャッタ３は、閉じたとき（印加電圧がオフ状態の時）には乳白色となって表示物（例えば絵柄など）が見えなくなり、導光板４の役目を果たす。このとき、表示物（例えば絵柄など）投影光源２４は点灯しているので、導光板４及び液晶シャッタ３は照光されている。その結果、遊技者は液晶パネル２の中央部及び縁部において所定の液晶表示を見ることができるようになる。
【００４２】
図４ないし図６に示すように、液晶シャッタ３は、枠体８に段部１０を形成して液晶シャッタ３をその段部１０上に配置することにより、液晶パネル２と液晶シャッタ３との間に所定の間隙Ｇ、例えば０．４ｍｍの間隙が設けられる。その結果、液晶パネル２と液晶シャッタ３との間で、光の干渉を生じることがなくなり、液晶パネル２におけるモアレ現象の発生を防止することができるようになる。
【００４３】
また、図２に示したように、固定板７はその中央に開口部１４が形成され、四辺には、側面１１ａ〜１１ｄが形成されている。これらの側面の一つである１１ａと導光板４との間にランプセット６ａを固定し、対向する辺の側面１１ｂと導光板４との間にランプセット６ｂを固定している。さらに、図４及び図５に示すように、液晶パネル２の長辺に沿って配置したランプセット６ａ、６ｂは、枠体８に固定された固定板７の側面１１ａ，１１ｂと、導光板４の端面に挟まれて固定される。
【００４４】
ランプセット６ａ、６ｂの反射板６ｃ、６ｄは枠体８と固定板７と導光板４とに挟まれて固定される。これにより各ランプセットは導光板４と密着するので光漏れを防止できるため、遊技者の目の疲労を軽減することができる。
【００４５】
また、図示するように、導光板４には、その開口部１３に臨む位置において、液晶パネル２に向かって広がりを有する傾斜面４ｃ、４ｄが形成されている。その結果、導光板４の垂直内端面がなくなるから、傾斜面４ｃ、４ｄがない場合に比較すると、前面の斜め前から見たときに開口部１３がぎらつくことが緩和され、遊技者の眼に対する刺激が傾斜面４ｃ、４ｄで和らげられて不快感が減少するので好ましい。
【００４６】
さらに、図４〜図８に示すように、枠体８には側面１２ａ〜１２ｄが形成され、固定板７に形成された側面１１ａ〜１１ｄとそれぞれ係合させている。すなわち、固定板７の長辺の側面１１ａ、１１ｂは枠体８の長辺の側面１２ａ、１２ｂの内側に嵌合されている。短辺の側面１１ｃ、１１ｄは枠体８の短辺の側面１２ｃ、１２ｄの上側に設けた溝８ｅの立ち上がり部８ｆに嵌合され、これにより固定板７は枠体８に容易に固定される。
【００４７】
図２と、図９のＦ１−Ｆ２側断面図に示すように、外枠９には開口部１６が形成されている。開口部１６を囲む上部１７ａ，１７ｂの外側に位置する様に、枠体８は立ち上がり部８ｇが形成されている。外枠９の所定部に設けた孔と、それぞれ対応する位置にある固定板７の折り曲げ部１１ｅに形成された孔と、枠体８の立ち上がり部８ｇに形成された孔とを締結部品１９で結合し、一体に固定することにより、外枠９は枠体８に固定されている。この様にして、液晶表示部IIは容易に組み立てることができる。
【００４８】
液晶パネル２にＴＡＢ方式で取り付けたドライバーＩＣ搭載の第２の回路基板２０と第３の回路基板２１は、ともに前面枠１と外枠９内に収納される。第２の回路基板２０は外枠９の幅広の上部１７ａと、側部１８ａとの間に配置されている。第３の回路基板２１は外枠９の幅狭の上部１７ｃと、側部１８ｃとの間に配置されている。外枠９の開口部１６の背面は透明なアクリルなどの透明パネル２５で覆われ、液晶表示装置１に塵などが入らないようになっている（図３参照）。
【００４９】
図１０は、本発明の実施例１において、回路基板支持部IIIのカバーを取り外した状態であり、液晶表示部IIの背面側から見た背面斜視図である。外枠９には、その上部１７から側部１８が垂直の壁面として形成されている。幅広の上部１７ａと、それに連なる側部１８ａで形成される角が、一部分除去されて孔９ａが設けられている。
【００５０】
この孔９ａを塞ぐように、孔９ａに沿って外枠９の背面に、箱型の回路基板支持板２６が周辺部１７ａに垂直に配置され、螺子２７で固定されて、回路基板支持部IIIが形成されている。箱型の回路基板支持板２６は、その下部に設けた嵌合部２６ａを上部１７ａに設けたスリット９ｂに側面から差し込むことによって位置決めされ、螺子２７で固定される。
【００５１】
外枠９の内部には、上部１７ａと側部１８ａ並びに上部１７ｃと側部１８ｃの間にそれぞれ液晶パネル２に接続された第２及び第３の回路基板２０、２１は配置されている。第２、第３の回路基板２０、２１からは、第１の回路基板２２に接続されるフレキシブル配線基板２８、２９が孔９ａを通して引き出される。
【００５２】
外枠９の背面に垂直に配置した回路基板支持板２６に、第２及び第３の回路基板２０、２１の回路を制御する第１の回路基板２２は取り付け、固定される。支持された第１の回路基板２２に、第２および第３の回路基板２０，２１から引き出されたフレキシブル配線基板２８、２９が接続される。なお、符号３０、３１は第１の回路基板２２に搭載したコネクタである。また、符号３２は外部接続用のコネクタであるが、その他の部品等は図示を省略している。
【００５３】
このように、外枠９の背面に対し、回路基板支持板２６を垂直に設け、回路基板支持板２６に第１の回路基板２２を取り付けるので、第１の回路基板２２は、外枠９の開口部１６の背面側（上方）に、はみだすことがない。その結果、遊技者は開口部１６の背面側に位置する回転表示体等による表示物（例えば絵柄など）の全体を、第１の回路基板２２により邪魔されることなく、前面側（液晶パネル２の側）から見ることができるようになる。
【００５４】
このような構成による液晶表示装置の動作は下記のとおりである。遊技者がコインを投入してゲームをスタートさせると、かかる液晶表示装置を有する遊技機は、液晶パネル２上に導光板４、固定板７、外枠９の各開口部１３、１４、１６と同じ位置に透光部分を残して開口部を形成し、開口部以外の面上に各種の装飾、ゲーム内容等の表示を行う。
【００５５】
それと同時に、遊技装置は回転表示体を外枠９の後方で回転させて、その表示物（例えば絵柄など）を液晶パネル２の表示用開口部から見えるようにする。遊技者は、回転表示体を高速回転させた状態で、表示用開口部内の高速で移動する表示物（例えば絵柄など）を監視して目押しを行って、所定のゲームを楽しむことができる。
【実施例２】
【００５６】
次に、図１１の模式図に従って、本発明の実施例２に係る液晶表示装置の要部を説明する。図１１に示した外枠９Ａにおいて、載置部１６ｃは、下部１６ｂを介して上部１７ａにつながっている。載置部１６ｃは、断面形状が下方に向かって凹部状に形成されている。上記凹部の内面は、開口部１６の全周にわたって、外枠９Ａの上部１７ａより、一定の深さにて形成されている。
【００５７】
固定板７において、上面１１ｆにつながって、垂直部７ａが形成されている。垂直部７ａは、開口部１４の全周にわたって、一定の高さに形成されている。
【００５８】
垂直部７ａの上面と、載置部１６ｃの内面との間に、パッキン３４ａが配置されている。パッキン３４ａは例えば、天然ゴムや、シリコンゴム等からなり、弾性力を有するものである。パッキン３４ａは例えば、断面形状が長方形である。パッキン３４ａは、載置部１６ｃに形成された凹部の内面に配置されている。固定板７の垂直部７ａの上面が、上記凹部の内面に配置されたパッキン３４ａの底面に当接し、または所定の深さだけ沈み込む様に、構成されている（図１１参照）。
【００５９】
図１１に示した様に、外枠９Ａに形成された開口部１６に臨む上部１７ａに、シール材２５ａが配置されている。開口部１６を覆う様に、シール材２５ａ上に、透明パネル２５が配置されている。その他の部品は、実施例１のものと同一である。
【図面の簡単な説明】
【００６０】
【図１】本発明の実施例１における液晶表示部２と回転基板支持部３の構成を示す背面斜視図である。
【図２】図１の液晶表示部２の主要構成部品を示す分解斜視図である。
【図３】図１における、Ａ１−Ａ２側断面図である。
【図４】図１における、Ｂ１−Ｂ２側断面図である。
【図５】本発明の実施例１における、要部の模式図である。
【図６】図１における、Ｃ１−Ｃ２側断面図である。
【図７】図１における、Ｄ１−Ｄ２側断面図である。
【図８】図１における、Ｅ１−Ｅ２側断面図である。
【図９】図１における、Ｆ１−Ｆ２側断面図である。
【図１０】図１に示した回路基板支持部３のカバーを取り外した状態における、液晶表示装置１の背面斜視図である。
【図１１】本発明の実施例２における、要部の模式図である。
【図１２】従来の回動式遊技機の一例を示す外観斜視図である。
【図１３】従来の回動式遊技機における回転表示体、液晶パネル及び液晶シャッタの関係を示す模式的説明図である。
【符号の説明】
【００６１】
１  前面枠
２  液晶パネル
３  液晶シャッタ
４  導光板
４ａ、４ｂ  端面
４ｃ、４ｄ  傾斜面
５  反射シート
６ａ  ランプセット
６ｂ  ランプセット
７  固定板
８  枠体
８ｅ  溝
８ｆ，８ｇ  立ち上がり部
９  外枠
１０  段部
１１ａ〜１１ｄ  側面
１２ａ〜１２ｄ  側面
１３  開口部
１４  開口部
１６  開口部
１７，１７ａ〜１７ｄ  上部
１８，１８ａ〜１８ｄ  側部
１９  締結部品
２０  第２の回路基板
２１  第３の回路基板
２２  第１の回路基板
２５  透明パネル
２６  回路基板支持板
２８、２９  フレキシブル配線基板
【図１】
2007003853.tif 000003
【図２】
2007003853.tif 000004
【図３】
2007003853.tif 000005
【図４】
2007003853.tif 000006
【図５】
2007003853.tif 000007
【図６】
2007003853.tif 000008
【図７】
2007003853.tif 000009
【図８】
2007003853.tif 000010
【図９】
2007003853.tif 000011
【図１０】
2007003853.tif 000012
【図１１】
2007003853.tif 000013
【図１２】
2007003853.tif 000014
【図１３】
2007003853.tif 000015